(57)【要約】【課題】  外力に対する強度が高く、また、保護部材を配置する際の気遣いも不要。【解決手段】  底板１１と；この底板１１の平行な一対の第１辺にそれぞれ連結した第一の側板１２と；底板１１の前記第１辺とは異なる平行な一対の第２辺にそれぞれ連結した第二の側板１３と；第一の側板１２に連結した天板１４と；第二の側板１３の両側方に連結し、折り曲げまたは巻き付けにより筒状を形成し、底板に対し略直交するように第一及び第二の側板１２、１３が折り曲げられたときに生じる筐体の角部に立設状態で位置する角保護体を構成する角保護体用平板２０とが一枚のシートにより構成されている。【選択図】  図１
2010070257.tif 000002
【特許請求の範囲】
【請求項１】
底板と；
この底板の平行な一対の第１辺にそれぞれ連結した第一の側板と；
底板の前記第１辺とは異なる平行な一対の第２辺にそれぞれ連結した第二の側板と；
第一の側板に連結した天板と；
第二の側板の両側方に連結し、折り曲げまたは巻き付けにより筒状を形成し、底板に対し略直交するように第一及び第二の側板が折り曲げられたときに生じる筐体の角部に立設状態で位置する角保護体を構成する角保護体用平板と
が一枚のシートにより構成されていることを特徴とする筐体用シート。
【請求項２】
角保護体には、筒状に形成された状態において、筒内へ突出して筒壁に当接し形状を維持するための舌片が備えられていることを特徴とする請求項１に記載の筐体用シート。
【請求項３】
第二の側板における底板側とは逆側の側部に連結し、第二の側板に対し略直交するように折り曲げられることにより、筒状となった角保護体を覆うと共に、角部において第一の側板側の上下方向の力に抗する強度を有する腕部を備える端部被覆板を更に備えていることを特徴とする請求項１または２に記載の筐体用シート。
【発明の詳細な説明】
【技術分野】
【０００１】
この発明は、蛍光灯などの装置を梱包する筐体を作成することができる筐体用シートに関するものである。
【背景技術】
【０００２】
従来、各種の装置を梱包する筐体においては、角部の強度が重要であり、角部に筐体とは別構成の保護部材を配置して、強度の向上及び角部へのダメージからの保護が図られている。
【０００３】
上記のような保護部材及び梱包用筐体はダンボールにより構成され、例えば一枚のダンボールを折り畳んで作成するものが知られている（特許文献１参照）。
【０００４】
しかしながら、保護部材は梱包用筐体と別部材であるため、筐体角部に適切に位置付ける必要があり、保護部材の向きなどに気を使う必要があった。また、筐体のつま面（側面）に一体化するような特許文献１の如き構成の保護部材では強度が弱く、梱包された装置の十分な保護を図ることができないという問題があった。
【特許文献１】特開２０００−１０３４６２号公報
【発明の開示】
【発明が解決しようとする課題】
【０００５】
本発明は上記のような問題を解決せんとしてなされたもので、その目的は、外部からの力に対する強度が高く、また、保護部材を配置する際の気遣いも不要であり、作業効率を高めることが可能な筐体用シートを提供することである。
【課題を解決するための手段】
【０００６】
本発明に係る筐体用シートは、底板と；この底板の平行な一対の第１辺にそれぞれ連結した第一の側板と；底板の前記第１辺とは異なる平行な一対の第２辺にそれぞれ連結した第二の側板と；第一の側板に連結した天板と；第二の側板の両側方に連結し、折り曲げまたは巻き付けにより筒状を形成し、底板に対し略直交するように第一及び第二の側板が折り曲げられたときに生じる筐体の角部に立設状態で位置する角保護体を構成する角保護体用平板とが一枚のシートにより構成されていることを特徴とする。
【０００７】
シートは、ダンボールの紙などであり、装置を梱包する筐体を構成するものであれば特に材料に制限はない。角保護体の形状である筒状とは、通常は角柱状であるが、円柱状を含むものとする。
【０００８】
本発明に係る筐体用シートでは、角保護体には、筒状に形成された状態において、筒内へ突出して筒壁に当接し形状を維持するための舌片が備えられていることを特徴とする。
【０００９】
本発明に係る筐体用シートは、第二の側板における底板側とは逆側の側部に連結し、第二の側板に対し略直交するように折り曲げられることにより、筒状となった角保護体を覆うと共に、角部において第一の側板側の上下方向の力に抗する強度を有する腕部を備える端部被覆板を更に備えていることを特徴とする。
【発明の効果】
【００１０】
本発明に係る筐体用シートは、筐体の他の部位と共に角保護体を構成する角保護体用平板が一枚のシートにより構成されているため、折り畳みや巻き付けにより角保護体が所定位置に位置付けられることになり、組立て作業が容易になる。また、角保護体が筐体の角部に立設状態で位置するので、天板及び底板側からの力に強く、梱包された装置の保護に好適である。
【００１１】
本発明に係る筐体用シートでは、角保護体には、筒状に形成された状態において、筒内へ突出して筒壁に当接し形状を維持するための舌片が備えられているので、角保護体の形状が安定的に維持され、強度が確保される。
【００１２】
本発明に係る筐体用シートでは、筒状となった角保護体を覆うと共に、角部において第一の側板側の上下方向の力に抗する強度を有する腕部を備えるので、角保護体の近傍における上下方向の強度向上が図られる。
【発明を実施するための最良の形態】
【００１３】
以下添付図面を参照して、本発明に係る筐体用シートの実施例を説明する。各図において同一の構成要素には、同一の符号を付し、重複する説明を省略する。図１に、筐体用シートの実施例を示す。この筐体用シートはダンボールであって、破線は折位置を示す線であって、この平面状態において全て内折りにて織り込むことにより梱包用の筐体を完成させることができる。破線により囲まれた部分、または破線と実線により囲まれた部分は、板または面である。更に、筐体用シート内に入り込んでいる実線部分は切れている。また、斜線を施して示した長方形は、筐体用シートが存在しない空間である。
【００１４】
上記筐体用シートにより作成される筐体には、図４に示す蛍光灯器具５０が梱包される。図においては、手前側の半分程度が示されているが、蛍光灯器具５０は、長方形状の器具本体５１の表面側に断面が台形状を有する反射板５２が備えられ、器具本体５１の長手方向における端部に近接する位置において、反射板５２の底面からソケット５３が突出している。ソケット５３には、蛍光管５４が装着されている。
【００１５】
器具本体５１の表面終縁部５５には、外側に突出したフランジ５６が形成されている。器具本体５１における短辺側の側面は、上側が側板５７により覆われており、下側は開口部５８となっている。器具本体５１の内部には、図示しない安定器を含む点灯回路が設けられ、蛍光管５４の点灯を行うように構成されている。
【００１６】
一方、上記蛍光灯器具５０を梱包する筐体用シートは、図１に示す如く中央部に、蛍光灯器具５０の大きさに相当する長方形状の底板１１が備えられている。この底板１１の平行な一対の長辺側である第１辺には、それぞれ第一の側板１２が連結している。また、底板１１の上記第１辺とは異なる平行な一対の短辺側である第２辺には、それぞれ第二の側板１３が連結している。
【００１７】
上記第一の側板１２には、天板１４が連結している。また、第二の側板１３の両側方には角保護体用平板２０が連結している。更に、第二の側板１３における底板１１側とは逆側の側部には、端部被覆板３０が連結している。
【００１８】
上記の角保護体用平板２０は、図３及び図４に示される角保護体４０を構成するため、第１側板２１乃至第５側板２５である５枚の側板から成り立っている。第１側板２１と第２側板２２の境界には、上辺からほぼ１／２の高さまで切り込まれており、上側は舌片２６が形成されている。
【００１９】
また、第４側板２４の上からほぼ１／４が全面に亘って切り取られ、第４側板２４と接する位置において第３側板２３の上からほぼ１／４が幅の１／２に亘って切り取られ、第４側板２４と接する位置において第５側板２５の上からほぼ１／４が幅の１／２に亘って切り取られている。この切り取られた部分によって、第１側板２１乃至第５側板２５が四角筒状の角保護体４０が構成された際に、断面Ｌ状の受部２７が形成される。
【００２０】
第１側板２１乃至第５側板２５を図２に示されるようにして折り込んで、構成された四角筒状の角保護体４０においては、第２側板２２が第二の側板１３に接し、第４側板２４が筐体の内側に向かって正面を向き、第２側板２２と第４側板２４との間を第３側板２３と第５側板２５とが繋ぐようにして図３に示すごとくの四角筒状の角保護体４０が形成される。また、第１側板２１は、第５側板２５に重なった状態となるので、第１側板２１の一部である舌片２６を筒内方向へ折り込むことにより、舌片２６が筒内へ突出して筒壁に当接し形状を維持するように機能する。
【００２１】
上記のように構成され筐体の角部に立設された四角筒状の角保護体４０に対しては、断面Ｌ状の受部２７へ、蛍光灯器具５０の器具本体５１における四隅に近い部分のフランジ５６と側板５７によって構成される段部が載置され、この段部より下側の側板５７と開口部５８とが角保護体４０の第４側板２４に当接する。器具本体５１における強度の高い四隅が、このようにして角保護体４０に嵌合したような状態となり、強度の小さなつま面（側部）が筐体の側面から離れた位置に配置され、外部からの衝撃が筐体により吸収される。
【００２２】
端部被覆板３０は、第二の側板１３と隣接する上側板３１と、この上側板３１の両側部に位置する第１腕部構成板３２、第２腕部構成板３３とから構成されている。最も外側に存在する第２腕部構成板３３を第１腕部構成板３２との境界線により内側へ折り込み、第２腕部構成板３３と第１腕部構成板３２を重ねた状態とする。この状態において、上側板３１を隣接する第二の側板１３との境界線により内側へ折り込むと図５に示される状態が実現される。
【００２３】
即ち、上側板３１が天井部分にあり、上側板３１の両側に重なった状態の第２腕部構成板３３と第１腕部構成板３２が上側板３１と略直交した状態で底板１１まで延びて設けられている。この重なった状態の第２腕部構成板３３と第１腕部構成板３２は、筐体の角部において第一の側板１２側の上下方向の力に抗する強度を有する腕部３５を構成している。つまり、二枚重ねにより上下方向の力に抗する強度が高くされている。また、端部被覆板３０は、筒状となった角保護体４０を覆うことにより角保護体４０の保護機能も備えている。
【００２４】
図５の状態（蛍光灯器具５０が入っている状態）において、更に、第一の側板１２を底板１１との境界線により内側へ折り込み、第一の側板１２が底板１１から略直角に立設した状態とし、更に、天板１４を第一の側板１２との境界線により内側へ折り込むことで、図６に示す筐体１０が出来上がる。
【００２５】
このような筐体１０により、蛍光灯器具５０の四隅を角保護体４０で押さえて固定し、蛍光灯器具５０を保護することができる。この場合、舌片２６が角保護体４０の形状を安定的に維持し、強度が確保されている。
【図面の簡単な説明】
【００２６】
【図１】本発明に係る筐体用シートの実施例を示す平面図。
【図２】本発明に係る筐体用シートの実施例において角保護体を作成する過程を示す斜視図。
【図３】本発明に係る筐体用シートの実施例において完成した角保護体の部分を取り出して示した斜視図。
【図４】本発明に係る筐体用シートの実施例において完成した角保護体に対し、蛍光灯を載置する過程を示した斜視図。
【図５】本発明に係る筐体用シートの実施例において角保護体を、端部被覆板によって覆った状態を示す斜視図。
【図６】本発明に係る筐体用シートの実施例を用いて完成した筐体を示す斜視図。
【符号の説明】
【００２７】
１０  筐体
１１  底板
１２  側板
１３  側板
１４  天板
２０  角保護体用平板
２６  舌片
２７  受部
３０  端部被覆板
３５  腕部
４０  角保護体
【図１】
2010070257.tif 000003
【図２】
2010070257.tif 000004
【図３】
2010070257.tif 000005
【図４】
2010070257.tif 000006
【図５】
2010070257.tif 000007
【図６】
2010070257.tif 000008